(57)【要約】【課題】  コンテナ、仮設ハウス等の屋外設置物の屋根部及び側壁部の断熱性を高めて、特に、夏期における内部温度の上昇を抑制することである。【解決手段】  内部に中空部３を有する中空構造板Ａ1 の一面にガルバリウム鋼板Ｇが一体に貼着され、当該ガルバリウム鋼板Ｇの表面に遮熱塗料が塗布された断熱板材Ｐ1 により、コンテナＣ1 （Ｃ2 ）の屋根部３２及び側壁部３１を構成する。【選択図】  図２
2017150170.tif 000002
【特許請求の範囲】
【請求項１】
内部に中空部を有する中空構造板の一面にガルバリウム鋼板が一体に貼着され、当該ガルバリウム鋼板の表面に遮熱塗料が塗布されていることを特徴とする断熱板材。
【請求項２】
前記中空構造板の中空部は連続していることを特徴とする請求項１に記載の断熱板材。
【請求項３】
前記中空構造板は、樹脂製であって、千鳥状に配置された無数の中空円錐台状の補強体の両面に薄板材が溶着されることで、内部に連続した中空部が形成されていることを特徴とする請求項１又は２に記載の断熱板材。
【請求項４】
請求項１ないし３のいずれかに記載の断熱板材により、屋根部及び側壁部が形成されていることを特徴とする屋外設置型のコンテナ又は仮設ハウス。
【発明の詳細な説明】
【技術分野】
【０００１】
本発明は、断熱性能が高く、軽量でしかも高い剛性を有する断熱板材、及び当該断熱板材により屋根部及び側壁部を形成した屋外設置型のコンテナ又は仮設ハウスに関するものである。
【背景技術】
【０００２】
屋外設置されるコンテナ、或いは仮設ハウスの夏期における内部温度は、太陽光によって、相当な高温となる。コンテナの場合には、保管物の性能にも影響を及ぼすと共に、短時間であっても、人がコンテナ内に入って保管物の出入れ時において、過度の暑さによる苦痛を伴う。
【０００３】
従来の屋外設置型のコンテナＣ’の屋根部及び側壁部は、図２（ｂ）に示されるように、いずれもベニヤ板５１の表面にガルバリウム鋼板Ｇが一体に貼着された板材Ｐ11が用いられていた。よって、上記板材Ｐ11は、安価に製作できる利点はあるが、ベニヤ板の断熱性は低いので、夏期における内部温度は、５０°を超えることがある。なお、図２（ｂ）において、５２は、床面に貼られたベニヤ板を示す。
【０００４】
一方、仮設ハウスにおいても、同様の問題があり、例えば、特許文献１に示されるように、仮設ハウスとしての構造上の工夫は多くなされているが、屋根部及び側壁部の構造を工夫して、夏期にエアコンを使用する場合において、消費電力の節減を図るという工夫は少ない。例えば、従来の仮設ハウスＨ’で実施されている屋根部の断熱構造として、図４（ｂ）に示されるように、樹脂発泡体等から成る断熱材６１の表面にガルバリウム鋼板Ｇが貼着された断熱板材Ｐ12が使用され、断熱材６１の裏面（室内側面）は、石膏ボード６２で覆った構造が知られている。また、側壁部は、屋根部の断熱材６１に比較して薄い断熱材６１’の表面にガルバリウム鋼板Ｇが貼着されて、断熱材６１’の裏面（内側面）は、プリント合板（化粧合板）６３が貼着された断熱板材Ｐ13が使用されていた。なお、図４（ｂ）において、６４は、床板材を示す。
【０００５】
このように、仮設ハウスにおける上記各断熱板材Ｐ12，Ｐ13を使用した屋根部及び側壁部の断熱構造は、一般の断熱材を用いているにすぎないため、断熱性が低いのに加えて、屋根部及び側壁部の各断熱板材Ｐ12，Ｐ13は、いずれも断熱材６１，６１’の一面又は両面に薄板材が貼着された構造であるので、十分な強度を有していないという問題もあった。
【先行技術文献】
【特許文献】
【０００６】
【特許文献１】特開２００４−３６３６２号公報
【発明の概要】
【発明が解決しようとする課題】
【０００７】
本発明は、屋外設置されるコンテナ又は仮設ハウスの屋根部及び側壁部の断熱性を高めて、特に、夏期における内部温度の上昇を抑制することを課題としている。
【課題を解決するための手段】
【０００８】
上記課題を解決するための請求項１の発明は、内部に中空部を有する中空構造板の一面にガルバリウム鋼板が一体に貼着され、当該ガルバリウム鋼板の表面に遮熱塗料が塗布されていることを特徴とする断熱板材である。  
【０００９】
請求項１の発明に係る断熱板材を太陽光に接する部分に配置して使用すると、中空構造板は、中空部の存在により断熱作用を果たすのに加えて、当該中空構造板の一面（使用状態では外面）に貼着されたガルバリウム鋼板自体の有する高い熱反射性能と、当該ガルバリウム鋼板の表面に塗布された遮熱塗料とによる遮熱作用を果たし、前記断熱作用と遮熱作用との相乗によって、太陽光に接する部分に使用された場合には、中空構造板の単体の断熱性を超える高い断熱性が得られる。しかも、中空構造板は、その中空構造により軽量であるため、取り扱いに優れ、屋外設置型のコンテナ又は仮設ハウスの屋根部又は側壁部として使用した場合において、コンテナ又は仮設ハウス自体の軽量化が図られる。
【００１０】
請求項２の発明は、請求項１の発明において、前記中空構造板の中空部は連続していることを特徴としている。
【００１１】
請求項２の発明によれば、中空構造板の内部に設けられている中空部が連続していて、中空部に存在している空気が内部の温度差により流通可能であるために、中空構造板自体の断熱性が一層に高められる。
【００１２】
請求項３の発明は、請求項１又は２の発明において、前記中空構造板は、樹脂製であって、千鳥状に配置された無数の中空円錐台状の補強体の両面に薄板材が溶着されることで、内部に連続した中空部が形成されていることを特徴としている。
【００１３】
請求項３の発明によれば、中空構造板を構成する両面の薄板材は、千鳥状に配置された無数の中空円錐台状の補強体で連結された形態となっていて、両面の薄板材の間の空間部のうち無数の中空円錐台状の補強体を除く部分が連続した中空部となっているため、中空構造板は、軽量を維持したまま、その強度が高められる。
【００１４】
請求項４の発明は、請求項１ないし３のいずれかに記載の断熱板材により、屋根部及び側壁部が形成されていることを特徴とする屋外設置型のコンテナ又は仮設ハウスであって、断熱板材の具体的な用途を特定したものである。
【発明の効果】
【００１５】
本発明に係る断熱板材は、中空構造による断熱作用と、ガルバリウム鋼板自体及びその表面に塗布された遮熱塗料による遮熱作用によって、高い断熱性を有しているうえに、中空構造のために軽量であるので、本発明に係る断熱板材を屋外設置型のコンテナ又は仮設ハウスの屋根部及び側壁部に使用した場合には、太陽光による内部温度の上昇を抑制できる。
【図面の簡単な説明】
【００１６】
【図１】（ａ），（ｂ）は、いずれも本発明に係る屋外設置型のコンテナＣ1 ，Ｃ2 の斜視図である。
【図２】（ａ），（ｂ）は、それぞれ本発明に係る屋外設置型のコンテナＣ1 （Ｃ2 ）及び従来のコンテナＣ’の模式的部分縦断面図である。
【図３】本発明に係る屋外設置型の仮設ハウスＨの斜視図である。
【図４】（ａ），（ｂ）は、それぞれ本発明に係る屋外設置型の仮設ハウスＨ及び従来構造の仮設ハウスＨ’の模式的部分縦断面図である。
【図５】（ａ) は、本発明に係る断熱板材Ｐ1 の中空構造板Ａ1 とガルバリウム鋼板Ｇとを分離させた状態の斜視図であリ、（ｂ）は、部分拡大横断面図である。
【図６】（ａ) は、本発明に係る断熱板材Ｐ2 の中空構造板Ａ2 とガルバリウム鋼板Ｇとを分離させた状態の斜視図であリ、（ｂ）は、部分拡大横断面図である。
【図７】（ａ) は、本発明に係る断熱板材Ｐ3 の中空構造板Ａ3 とガルバリウム鋼板Ｇとを分離させた状態の斜視図であリ、（ｂ）は、部分拡大横断面図である。
【発明を実施するための形態】
【００１７】
以下、最良の複数の実施例を挙げて、本発明について更に詳細に説明する。
【実施例１】
【００１８】
実施例１の断熱板材Ｐ1 は、図５に示されるように、中空構造板Ａ1 の一面にガルバリウム鋼板Ｇが貼着され、当該ガルバリウム鋼板Ｇの表面に遮熱塗料が塗布されて塗膜Ｋが形成されている。中空構造板Ａ1 は、樹脂成形品であって、中空円錐台状の一対の補強単体１ａの一方を反転させて、直径の小さな側を一体に接続させることで補強体１が形成され、無数の補強体１の両面に薄板状の表板材２が一体に溶着された構成である。このため、隣接する補強体１の間には、連続した中空部３が形成される。
【００１９】
ガルバリウム鋼板Ｇは、アルミニウム・亜鉛合金めっき鋼板であって、めっき層に含まれる亜鉛のイオン化傾向が鉄よりも大きいために、水中等の腐食環境下においては、鉄よりも亜鉛が先に溶け出すことで、原板である鉄の腐食を防止する構造の鋼板であって、７０〜７５％の高い熱反射性能により遮熱性に優れる。また、ガルバリウム鋼板Ｇは、自身の有する高い遮熱性に加えて、その表面に塗布した遮熱塗料の塗膜Ｋの遮熱性とが相乗して、一層高い遮熱性を有する。
【００２０】
断熱板材Ｐ1 の板厚Ｔ1 は、約２２ｍｍであって、中空構造板Ａ1 の骨組構造によって、内部に連続した中空部３を有していながら、軽量で、しかも高い剛性を有する。
【実施例２】
【００２１】
実施例２の断熱板材Ｐ2 を構成する中空構造板Ａ2 は、図６に示されるように、一対の表板材１１の間に、所定間隔をおいて多数の補強板材１２が、前記各表板材１１と直交して一体となった構成であって、樹脂の連続押出成形により成形され、一対の表板材１１と隣接する補強板材１２との間に多数の独立した中空部１３が形成されている。また、一対の表板材１１の間に、所定間隔をおいた多数の補強板材１２が、前記一対の表板材１１と直交して配置されて、各表板材１１と多数の補強板材１２とが一体化された構成であるため、断面視における中空部１３の占有面積が大きいのにもかかわらず、高い剛性を有する構造が実現される。中空構造板Ａ2 の一方の表板材１１には、ガルバリウム鋼板Ｇが貼着され、当該ガルバリウム鋼板Ｇの表面には、遮熱塗料の塗布による塗膜Ｋが形成される。
【００２２】
断熱板材Ｐ2 の板厚Ｔ2 は、約８ｍｍであって、前記中空構造板Ａ2 の一方の面に、ガルバリウム鋼板Ｇが貼着され、当該ガルバリウム鋼板Ｇの表面に遮熱塗料が塗布されたものである。
【実施例３】
【００２３】
実施例３の断熱板材Ｐ3 を構成する中空構造板Ａ3 は、図７に示されるように、一対の表板材２１の間に、無数の中空円錐台状の補強体２２が千鳥状に配置されて、前記一対の表板材２１と無数の補強体２２とが一体に溶着された構成である。断熱板材Ｐ3 は、中空構造板Ａ3 の一面にガルバリウム鋼板Ｇが貼着されて、当該ガルバリウム鋼板Ｇの表面に遮熱塗料が塗布された構成である。無数の補強体２２の間には、連続した中空部２３が形成される。断熱板材Ｐ3 の板厚Ｔ2 は、約５ｍｍである。
【００２４】
従って、実施例３の断熱板材Ｐ3 は、実施例１の断熱板材Ｐ1 に対して中空構造板Ａ1 を構成する無数の補強体１を補強体２２に変更した構成となる。
【００２５】
図１及び図２（ａ）に示される屋外設置型の各コンテナＣ1 ，Ｃ2 は、シャッター又は扉を有する出入れ開口を除く計３面の側壁部３１は、いずれも断熱板材Ｐ1 で構成され、屋根部は、断熱板材Ｐ2 で構成されている。よって、側壁部及び屋根部を構成していて、内部に連続した中空部３，１３を有する中空構造板Ａ1 ，Ａ2 の断熱作用と、ガルバリウム鋼板Ｇ及び当該ガルバリウム鋼板Ｇの表面に塗布された遮熱塗料による塗膜Ｋとによる遮熱作用との相乗によって、屋外設置されることで、太陽光により加熱される各コンテナＣ1 ，Ｃ2 の側壁部３１及び屋根部３２は、各中空構造板Ａ1 の単体の断熱作用を遥かに超える高い断熱性が得られることで、内部の温度の上昇が抑えられる。
【００２６】
また、中空構造板Ａ1 は、その中空構造により軽量であって、取り扱いに優れるうえに、高い剛性を有しているため、屋外設置型のコンテナＣ1 ，Ｃ2 の側壁部３１又は屋根部３２として使用した場合において、コンテナＣ1 （Ｃ2 ）自体の軽量化が図られて、その設置及び撤去、並びに運搬が容易となると共に、屋外設置物でありながら、高い強度を有する側壁部３１及び屋根部３２を実現できる。
【００２７】
図３及び図４（ａ）に示される屋外設置型の仮設ハウスＨは、側壁部４１及び屋根部４２の双方を断熱板材Ｐ1 で構成したものである。
【００２８】
屋外設置された本発明に係るコンテナＣ1 （Ｃ2 ）は、各側壁部３１及び屋根部３２を介する太陽熱の熱伝導作用により、日中におけるコンテナの内部温度は、太陽熱よりも高くなる。そして、外気温が高くなる程、本発明に係るコンテナＣ1 （Ｃ2 ）と、従来構造のコンテナＣ’との内部温度差は大きくなり、外気温が３０°Ｃを超える場合には、内部温度差は、７〜１０°Ｃと極めて大きくなることを実験で確認し、本発明に係る断熱板材Ｐ1 の高い断熱性を確認できた。
【００２９】
また、本発明に係る断熱板材Ｐ1 〜Ｐ3 の用途は、上記した屋外設置型のコンテナＣ1 ，Ｃ2 又は仮設ハウスＨの側壁部３１，４１又は屋根部３２，４２に限られず、屋外設置型であって、可搬性の簡易建物の断熱性が求められる部分には適用可能である。
【符号の説明】
【００３０】
Ａ1 〜Ａ3 ：中空構造板
Ｃ1 ，Ｃ2 ：コンテナ
Ｇ：ガルバリウム鋼板
Ｈ：仮設ハウス
Ｋ：遮熱塗料による塗膜
Ｐ1 〜Ｐ3 ：断熱板材
１，２２：補強体
１ａ：補強単体
３，１３，２３：中空部
３１，４１：側壁部
３２，４２：屋根部
【図１】
2017150170.tif 000003
【図２】
2017150170.tif 000004
【図３】
2017150170.tif 000005
【図４】
2017150170.tif 000006
【図５】
2017150170.tif 000007
【図６】
2017150170.tif 000008
【図７】
2017150170.tif 000009